(57)【要約】【課題】被験者の注意切替能力を詳細に判定することができ、且つ検査終了後直ちに判定結果を被験者に提供することが可能な注意切替能力判定システムの提供。【解決手段】制御部９は、特定画像又は非特定画像の一方を検査画像２０として表示させ、判定ボタン４ａ，４ｂへの操作入力の検知に応じて表示中の検査画像２０を次の検査画像２０に切り替え、各検査画像２０の表示開始から判定ボタン４ａ，４ｂの操作入力の検知までの時間を各検査画像２０に対する被験者の反応時間として検出する。制御部９は、特定画像の表示中に判定ボタン４ａへの操作入力を検知したとき又は非特定画像の表示中に判定ボタン４ｂへの操作入力を検知したとき被験者の入力が適正であると判定し、それ以外のとき不適正であると判定する。制御部９は反応時間と判定結果とに基づいて被験者の注意切替能力を判定し、入出力部８は注意切替能力の判定結果を出力する。【選択図】図１
2011152219.tif 000002
【特許請求の範囲】
【請求項１】
特定画像に対応する第１の操作部と、
非特定画像に対応する第２の操作部と、
前記第１及び第２の操作部への操作入力を検知する操作検知手段と、
表示手段と、
前記特定画像又は前記非特定画像の何れか一方を検査画像として前記表示手段に表示させ、前記操作検知手段による前記第１又は第２の操作部への操作入力の検知に応じて表示中の検査画像を予め設定された次の検査画像に切り替えることにより、表示回数が所定回数に達するまで前記表示手段に検査画像を順次表示させる表示制御手段と、
前記表示制御手段が前記表示手段に検査画像を表示してから前記操作検知手段が前記第１又は第２の操作部への操作入力を検知するまでの時間を、当該検査画像に対する被験者の反応時間として検出する反応時間検出手段と、
前記特定画像の表示中に前記操作検知手段が前記第１の操作部への操作入力を検知したとき又は前記非特定画像の表示中に前記操作検知手段が前記第２の操作部への操作入力を検知したときに、当該検査画像に対する被験者の入力が適正であると判定し、前記特定画像の表示中に前記操作検知手段が前記第２の操作部への操作入力を検知したとき又は前記非特定画像の表示中に前記操作検知手段が前記第１の操作部への操作入力を検知したときに、当該検査画像に対する被験者の入力が不適正であると判定する入力判定手段と、
表示回数が前記所定回数に達した際の検査画像に対する前記反応時間検出手段による判定時間の検出及び前記入力判定手段による判定が完了したとき、前記反応時間検出手段が検出した反応時間と前記入力判定手段の判定結果とに基づいて、前記被験者の注意切替能力を判定する注意切替能力判定手段と、
前記注意切替能力判定手段による注意切替能力の判定結果を出力する出力手段と、を備え、
前記検査画像は、同じ文字が部分文字として複数配置されることにより、当該部分文字とは異なる他の１つの文字が全体文字として表現される複合文字表示画像であり、
前記特定画像では、前記部分文字又は前記全体文字の何れか一方が所定の特定文字であり、
前記非特定画像では、前記部分文字及び前記全体文字の双方が前記特定文字以外の文字である
ことを特徴とする注意切替能力判定システム。
【請求項２】
特定画像に対応する第１の操作部と非特定画像に対応する第２の操作部と表示手段とを備えた注意切替能力判定システムのコンピュータを、
前記特定画像又は前記非特定画像の何れか一方を検査画像として前記表示手段に表示させ、前記操作検知手段による前記第１又は第２の操作部への操作入力の検知に応じて表示中の検査画像を予め設定された次の検査画像に切り替えることにより、表示回数が所定回数に達するまで前記表示手段に検査画像を順次表示させる表示制御手段、
前記表示制御手段が前記表示手段に検査画像を表示してから前記操作検知手段が前記第１又は第２の操作部への操作入力を検知するまでの時間を、当該検査画像に対する被験者の反応時間として検出する反応時間検出手段、
前記特定画像の表示中に前記操作検知手段が前記第１の操作部への操作入力を検知したとき又は前記非特定画像の表示中に前記操作検知手段が前記第２の操作部への操作入力を検知したときに、当該検査画像に対する被験者の入力が適正であると判定し、前記特定画像の表示中に前記操作検知手段が前記第２の操作部への操作入力を検知したとき又は前記非特定画像の表示中に前記操作検知手段が前記第１の操作部への操作入力を検知したときに、当該検査画像に対する被験者の入力が不適正であると判定する入力判定手段、
表示回数が前記所定回数に達した際の検査画像に対する前記反応時間検出手段による判定時間の検出及び前記入力判定手段による判定が完了したとき、前記反応時間検出手段が検出した反応時間と前記入力判定手段の判定結果とに基づいて、前記被験者の注意切替能力を判定する注意切替能力判定手段、及び
前記注意切替能力判定手段による注意切替能力の判定結果を出力する出力手段として機能させる注意切替能力判定プログラムであり、
前記検査画像は、同じ文字が部分文字として複数配置されることにより、当該部分文字とは異なる他の１つの文字が全体文字として表現される複合文字表示画像であり、
前記特定画像では、前記部分文字又は前記全体文字の一方が所定の特定文字であり、
前記非特定画像では、前記部分文字及び前記全体文字の双方が前記特定文字以外の文字である
ことを特徴とする注意切替能力判定プログラム。
【請求項３】
請求項２に記載の注意切替能力判定プログラムが記憶されたコンピュータ読み取り可能な記憶媒体。
【発明の詳細な説明】
【技術分野】
【０００１】
本発明は、注意切替能力判定システム、注意切替能力判定及び注意切替能力判定プログラムが記憶された記憶媒体に関する。
【背景技術】
【０００２】
被験者の注意切替能力を判定する方法として、複合数字抹消検査（ＣＤＣＴ：Compound Digit Checking Test）が知られている。複合数字抹消検査では、複数の複合数字の配列が予め印刷された検査用紙が使用される。複合数字とは、同じ数字を部分文字として複数配置し、部分文字とは異なる他の１つの数字を全体文字として表現したものである。被験者は、検査用紙に印刷された複数の複合数字を順次視認し、部分文字又は全体文字が所定の特定数字（例えば３又は６）である複合数字を抹消対象として検出し、検出した複合数字全体を抹消するように複合数字の上から斜線を付記する。検査提供者は、検査用紙を回収し、抹消対象を適正に抹消している割合（正答率）が表示された印刷物を検査結果として被験者に提供する。
【先行技術文献】
【非特許文献】
【０００３】
【非特許文献１】“複合数字抹消検査”、［online］、更新日：２００９年１０月１日、株式会社トーヨーフィジカル、［平成２１年１月５日検索］、インターネット＜URL：http://www.toyophysical.co.jp/index.htm，http://www.toyophysical.co.jp/CDCT.htm＞
【発明の概要】
【発明が解決しようとする課題】
【０００４】
しかし、上記複合数字抹消検査では、被験者が個々の複合数字について抹消対象であるか否かを判断して所定の動作を行うまでの反応時間を全く考慮していないため、被験者の注意切替能力に関して詳細な判定を行うことができない。
【０００５】
また、検査提供者は、検査用紙を回収した後、検査結果を印刷物として被験者に提供するため、検査終了後直ちに検査結果を被験者に提供することが難しく、被験者は、検査終了後直ちに検査結果を認識することができない。
【０００６】
そこで、本発明は、被験者の注意切替能力を詳細に判定することができ、且つ検査終了後直ちに判定結果を被験者に提供することが可能な注意切替能力判定システムの提供を目的とする。
【課題を解決するための手段】
【０００７】
上記課題を解決するため、本発明の注意切替能力判定システムは、第１の操作部と、第２の操作部と、操作検知手段と、表示手段と、表示制御手段と、反応時間検出手段と、入力判定手段と、注意切替能力判定手段と、出力手段とを備える。
【０００８】
表示制御手段は、特定画像又は非特定画像の何れか一方を検査画像として表示手段に表示させ、操作検知手段による第１又は第２の操作部への操作入力の検知に応じて表示中の検査画像を予め設定された次の検査画像に切り替えることにより、表示回数が所定回数に達するまで表示手段に検査画像を順次表示させる。検査画像は、同じ文字が部分文字として複数配置されることにより、当該部分文字とは異なる他の１つの文字が全体文字として表現される複合文字表示画像である。特定画像では、部分文字又は全体文字の何れか一方が所定の特定文字である。非特定画像では、部分文字及び全体文字の双方が特定文字以外の文字である。
【０００９】
第１の操作部は特定画像に対応し、第２の操作部は非特定画像に対応する。
【００１０】
反応時間検出手段は、表示制御手段が表示手段に検査画像を表示してから操作検知手段が第１又は第２の操作部への操作入力を検知するまでの時間を、当該検査画像に対する被験者の反応時間として検出する。
【００１１】
入力判定手段は、特定画像の表示中に操作検知手段が第１の操作部への操作入力を検知したとき又は非特定画像の表示中に操作検知手段が第２の操作部への操作入力を検知したときに、当該検査画像に対する被験者の入力が適正であると判定する。また、特定画像の表示中に操作検知手段が第２の操作部への操作入力を検知したとき又は非特定画像の表示中に操作検知手段が第１の操作部への操作入力を検知したときに、当該検査画像に対する被験者の入力が不適正であると判定する。
【００１２】
注意切替能力判定手段は、表示回数が所定回数に達した際の検査画像に対する反応時間検出手段による判定時間の検出及び入力判定手段による判定が完了したとき、反応時間検出手段が検出した反応時間と入力判定手段の判定結果とに基づいて、被験者の注意切替能力を判定する。出力手段は、注意切替能力判定手段による注意切替能力の判定結果を出力する。
【００１３】
上記構成では、反応時間検出手段は、個々の検査画像に対する被験者の反応時間を検出し、入力判定手段は、個々の検査画像に対する被験者の入力が適正であるか否かを判定し、注意切替能力判定手段は、反応時間検出手段が検出した反応時間と入力判定手段の判定結果とに基づいて、被験者の注意切替能力を判定する。反応時間検出手段が検出した反応時間によって被験者の反応が速いか否か（反応の迅速性）が判定され、入力判定手段の判定結果によって被験者の判断が正確か否か（判断の正確性）が判定される。従って、被験者は、自己の注意切替能力について、反応の迅速性と判断の正確性との双方が反映された詳細な判定結果を得ることができる。
【００１４】
また、出力手段は、注意切替能力の判定結果を検査終了から短時間で出力することが可能であり、被験者は、検査終了後直ちに自己の能力を認識することができる。
【発明の効果】
【００１５】
本発明によれば、被験者の注意切替能力を詳細に判定することができ、且つ検査終了後直ちに判定結果を被験者に提供することができる。
【図面の簡単な説明】
【００１６】
【図１】本発明の一実施形態の注意切替能力判定システムを示すブロック構成図である。
【図２】図１の注意切替能力判定システムにより被験者が検査を行っている状態を示す模式図である。
【図３】特定画像の一例を示す図であり、（ａ）は部分文字が特定文字である場合を、（ｂ）は全体文字が特定文字である場合をそれぞれ示している。
【図４】非特定画像の一例を示す図である。
【図５】検査画像の他の表示パターンを示す図であり、（ａ）は全体文字が視認し易い態様を、（ｂ）は部分文字が視認し易い態様をそれぞれ示している。
【図６】検査画面を示す図である。
【図７】同じ被験者が難易度が異なる検査画像によってそれぞれ検査を行った場合の結果を示す表である。
【図８】図７の検査結果のうち検出率について比較した図である。
【図９】図７の検査結果のうち反応時間について比較した図である。
【図１０】難易度Ａの場合の判定条件と出力する評価とを示す表である。
【図１１】難易度Ｂの場合の判定条件と出力する評価とを示す表である。
【図１２】難易度Ｃの場合の判定条件と出力する評価とを示す表である。
【図１３】図１の注意切替能力判定システムが実行する検査処理を示すフローチャートである。
【図１４】初期画面を示す図である。
【図１５】設定画面を示す図である。
【図１６】検査結果の出力画面を示す図である。
【発明を実施するための形態】
【００１７】
以下、本発明の一実施形態を図面に基づいて説明する。
【００１８】
図１は本実施形態の注意切替能力判定システムを示すブロック構成図、図２は図１の注意切替能力判定システムにより被験者が検査を行っている状態を示す模式図、図３は特定画像の一例を示す図、図４は非特定画像の一例を示す図、図５は検査画像の他の表示パターンを示す図、図６は検査画面を示す図、図７は同じ被験者が難易度が異なる検査画像によってそれぞれ検査を行った場合の結果を示す表、図８は図７の検査結果のうち検出率について比較した図、図９は図７の検査結果のうち反応時間について比較した図、図１０〜図２は難易度Ａ〜Ｃの場合の判定条件と出力する評価とをそれぞれ示す表、図１３は図１の注意切替能力判定システムが実行する検査処理を示すフローチャート、図１４は初期画面を示す図、図１５は設定画面を示す図、図１６は検査結果の出力画面を示す図である。
【００１９】
注意切替能力判定システムは、視覚刺激が有する階層構造に対して人間の注意がどのように配分されシフトされるかについての個人差を測定するものであり、視覚刺激によって順次提供される部分情報や全体情報に対する被験者の判断の正確さや反応の迅速さが判定される。一般に、車両走行中の運転者には、多様な部分情報や全体情報が視覚刺激によって提供され、これらの情報を的確に把握して瞬時に対応する能力が要求されることから、この判定システムは運転適性診断に有用である。
【００２０】
[注意切替能力判定システムの構成]
図１に示すように、注意切替判定検査を行うための注意切替能力判定システム（ＣＤＣＴ２システム）１は、検査実行処理装置２と表示装置３と入力装置４と印刷装置５とを備える。表示装置３は、液晶ディスプレイ等の表示画面６を有し、表示手段として機能する。
【００２１】
入力装置４は、第１の判定ボタン（第１の操作部）と第２の判定ボタン（第２の操作部）とを有し、検査実行処理装置２に接続されている。本実施形態では、複数のキーが配列された汎用のキーボードが入力装置４として使用される。複数のキーのうちＪキー４ａには、後述する特定画像に対応する第１の判定ボタンとしての機能が割り当てられて、キー４ｂには、後述する非特定画像に対応する第２の判定ボタンとしての機能が割り当てられている。また、本システムでは、これらＪキー４ａ及びＦキー４ｂの他、Ｃキー４ｃ、Ｗキー４ｄ、コントロールキー（Crtlキー）４ｅ及びＦ９キー４ｆにもそれぞれ所定の機能が割り当てられており、これらのキー４ａ〜４ｆ以外のキーについては、図示を省略している。なお、入力装置４は、キーボードタイプに限定されるものではなく、第１及び第２の判定ボタンを有するものであればその形態は任意である。
【００２２】
検査実行処理装置２は、入出力部８と制御部９と記憶部１０とを備える。入出力部８と制御部９と記憶部１０とは、バス１１を介して接続されている。入出力部８は出力手段として機能し、制御部９は、操作検知手段、表示制御手段、反応時間検出手段、入力判定手段及び注意切替能力判定手段として機能する。なお、検査実行処理装置２は、専用の装置であってもよく、汎用のパーソナルコンピュータなどであってもよい。本実施形態では、検査実行処理装置２としてパーソナルコンピュータが使用され、検査実行処理装置２にはマウス（図示省略）が接続されている。
【００２３】
入出力部８は、インターフェースであり、表示装置３、入力装置４、印刷装置５及びマウスとの間でデータを送受信する。注意切替能力の判定検査の提供者や被験者（以下、両者を単にユーザと称する）が入力装置４に対して入力操作を行うことにより、各種制御信号や各種データが入出力部８を介して検査実行処理装置２へ入力する。
【００２４】
記憶部１０は、ＲＯＭ（Read Only Memory）やＲＡＭ（Random Access Memory）によって構成され、制御部９が各種処理を実行するための各種プログラムや各種データが記憶されている。各種プログラムには、制御部９が注意切替判定処理を実行するための注意切替判定プログラムが含まれ、注意切替判定プログラムには、注意切替判定処理で用いられる判定データ記憶テーブル、フォントデータ、レイアウトデータ及び表示パターンデータが含まれる。注意切替判定プログラムや各記憶テーブルや各データは、各種ＣＤメディア（Compact Disc Media）などの外部の記憶媒体から読み出されて記憶部１０に記憶されてもよく、インターネットなどのネットワークを介して取得されて記憶部１０に記憶されてもよい。また、各記憶テーブルや各データは、注意切替判定プログラムとは別に記憶されてもよい。
【００２５】
制御部９は、ＣＰＵ（Central Processing Unit）によって構成され、記憶部１０から注意切替判定プログラムを読み出して注意切替判定処理を実行する。制御部９は、後述する反応時間を計時するためのカウント値（例えば時刻）を取得可能なタイマ１２を含む。また、制御部９は、各種制御信号や各種データや検出信号を、入出力部８を介して外部と送受信し、画像データを生成して表示装置３へ出力することによって、表示画面６に所望の画像を表示させる。また、制御部９は、入力装置４のキーのうち何れのキーが押下されたかを判別可能である。
【００２６】
［検査画像の説明］
注意切替判定検査が開始されると、制御部９は、図３及び図４に示すような検査画像２０を１つずつ表示画面６に順次表示させる。検査画像２０は、図６に示すように、検査画面２３内の所定位置に表示され、検査画像２０は、所定の試行数（本実施形態では６４回）に達するまで、判定ボタン（Ｊキー４ａ又はＦキー４ｂ）への操作入力（押下）の検知に応じて切り替わる。検査画面２３内の検査画像２０の下方には、表示された検査画像２０に対して押下すべき判定ボタン４ａ，４ｂを示すガイド２４，２５が表示される。
【００２７】
検査画像２０は、同じ文字が部分文字として複数配置されることにより、その部分文字とは異なる他の１つの文字が全体文字として表現される複合文字表示画像である。検査画像２０は２つのタイプに分類され、その一方は、部分文字又は全体文字の何れか一方が所定の特定文字である特定画像２１（２１Ａ，２１Ｂ）であり、他方は、部分文字及び全体文字の双方が特定文字以外の文字である非特定画像２２である。本実施形態では、部分文字及び全体文字として、「２」，「３」，「５」，「６」，「８」及び「９」の数字を使用し、これら６種類の数字のうち「３」及び「６」が特定文字として使用される。図３（ａ）は、部分文字が特定文字「３」であり、全体文字が非特定文字「９」である特定画像２１Ａである。図３（ｂ）は、部分文字が非特定文字「５」であり、全体文字が特定文字「６」である特定画像２１Ｂである。図４は、部分文字が非特定文字「８」であり、全体文字が非特定文字「２」である非特定画像２２である。なお、本実施形態の検査画像２０は、部分文字及び全体文字の双方が特定文字となる態様を含まず、特定画像２１では、部分文字又は全体文字の何れか一方のみが特定文字となる。また、以下の説明において、部分文字が特定文字であり、全体文字が非特定文字である特定画像２１Ａを部分特定画像Ｌと称し、部分文字が非特定文字であり、全体文字が特定文字である特定画像２１Ｂを全体特定画像Ｇと称して両者を適宜区別する。
【００２８】
記憶部１０に記憶されるフォントデータは、部分文字の書体（フォント）を規定するデータであり、レイアウトデータは、部分文字の配置を規定するデータである。部分文字は、７セグメント態様で表示される数字であり、全体文字は、５行５列の部分文字を要素とした７セグメント態様で表示される数字である。本実施形態では、複数（３種類）のフォントデータが記憶され、ユーザは、複数のフォントの中から任意のフォントを選択して設定することが可能である。
【００２９】
レイアウトデータに従って配置される部分文字の文字間隔は、複数段階（本実施形態では３段階）に変更可能に構成され、ユーザは、複数段階の中から任意の文字間隔を選択して設定することが可能である。
【００３０】
上記３段階の文字間隔は、標準タイプ（難易度Ａ、図３及び図４に示す）と、標準タイプよりも文字間隔が狭いタイプ（難易度Ｂ、図５（ａ）に示す）と、標準タイプよりも文字間隔が広いタイプ（難易度Ｃ、図５（ｂ）に示す）である。難易度Ｂは、難易度Ａ，Ｃに比べて全体文字が視認し易く、部分文字が視認し難い。反対に、難易度Ｃは、難易度Ａ，Ｂに比べて部分文字が視認し易く、全体文字が視認し難い。
【００３１】
記憶部１０に記憶される表示パターンデータは、検査画像２０の表示順を規定するデータであり、次の条件を満たすように設定される。
（１）全試行数（６４回）のうち、部分特定画像Ｌ及び全体特定画像Ｇの出現率はそれぞれ１／４（出現回数はそれぞれ１６回）、非特定画像の出現率は１／２（出願回数は３２回）である。
（２）特定画像の全出現回数（３２回）のうち、１つ前の検査画像２０が非特定画像となる単独出現率と１つ前の検査画像２０が特定画像となる連続出現率とは、それぞれ５０％（出現回数はそれぞれ１６回）である。なお、最初の検査画像２０が特定画像の場合も、単独出現に含める。
（３）連続出現となる特定画像の全出現回数（１６回）のうち、部分特定画像Ｌ及び全体特定画像Ｇの出現率は、それぞれ５０％（出現回数はそれぞれ８回）である。
（４）連続出現となる部分特定画像Ｌの全出現回数（８回）のうち、１つ前の検査画像２０が部分特定画像Ｌである場合の出現率と全体特定画像Ｇである場合の出現率とは、それぞれ５０％（出現回数はそれぞれ４回）である。同様に、連続出現となる全体特定画像Ｇの全出現回数（８回）のうち、１つ前の検査画像２０が部分特定画像Ｌである場合の出現率と全体特定画像Ｇである場合の出現率とは、それぞれ５０％（出現回数はそれぞれ４回）である。以下の説明において、全体特定画像Ｇに続いて出現する全体特定画像ＧをＧＧ画像と称し、部分特定画像Ｌに続いて出現する部分特定画像ＬをＬＬ画像と称し、全体特定画像Ｇに続いて出現する部分特定画像ＬをＧＬ画像と称し、部分特定画像Ｌに続いて出現する全体特定画像ＧをＬＧ画像と称する。
【００３２】
なお、本実施形態では、複数の表示パターンデータ（パターンファイル）が記憶可能であり、複数の表示パターンデータが記憶されている場合、ユーザは、複数の表示パターンの中から任意のパターンを選択して設定することが可能である。
【００３３】
また、レイアウトデータについても、フォントデータと同様に複数のデータを予め記憶させておき、これらの中から任意に選択可能としてもよい。また、部分文字のフォントサイズ（文字サイズ）、文字色、背景色など、被験者の視認性に影響を与える様々な条件について、ユーザが任意に設定可能に構成してもよい。
【００３４】
［注意切替判定検査の概要]
次に、注意切替能力判定システム１を使用した注意切替判定検査の概要について説明する。
【００３５】
注意切替判定検査は、図２に示すように、表示装置３及び入力装置４の前に被験者が着座した状態で実行される。この検査では、表示装置３の表示画面６に、検査の開始を報知する画像が表示された後、１つの検査画像２０が表示される。被験者は、検査画像２０が特定画像２１であると判断した場合にはＪキー４ａを押下し、検査画像２０が非特定画像２２であると判断した場合にはＦキー４ｂを押下する。Ｊキー４ａ又はＦキー４ｂが押下されると、検査画像２０が表示パターンデータに従って次の画像に切り替わり、被験者は、次の検査画像２０が特定画像２１か非特定画像２２かを判断し、Ｊキー４ａ又はＦキー４ｂを押下する。検査画像２０の表示回数（試行数）が６４回に達すると、本検査が終了する。本検査では、検査画像２０の表示から操作ボタン４ａ，４ｂの押下までに要する時間（反応時間）が逐次測定されて記憶される。また、検査画像２０に対応した操作ボタン４ａ，４ｂが適正に押下されたか否か（特定画像２１に対してＪキー４ａが押下されたか否か、及び非特定画像２２に対してＦキー４ｂが押下されたか否か）が逐次判定され、その結果（入力判定結果）が記憶される。本検査が終了すると、反応時間と入力判定結果とに基づいて、被験者の注意切替能力が判定される。
【００３６】
［注意切替能力の判定方法の概要］
次に、上記検査によって得られた反応時間及び入力判定結果に基づく注意切替能力の判定方法の概要について説明する。
【００３７】
注意切替能力は、対象とする試行のうち、操作ボタン４ａ，４ｂが適正に押下された割合（正解率・検出率）と、反応時間の平均値（平均反応時間）とを用いて判定される。対象として設定可能な試行は、全試行（６４回）、検査画像２０として全体特定画像Ｇが表示された全試行（１６回）、部分特定画像Ｌが表示された全試行（１６回）、連続出現で特定画像が表示された全試行（１６回）、単独出現で特定画像が表示された全試行（１６回）、ＧＧ画像が表示された全試行（４回）、ＬＬ画像が表示された全試行（４回）、ＧＬ画像が表示された全試行（４回）、及びＬＧ画像が表示された全試行（４回）である。本実施形態では、上記のうち、全試行、全体特定画像Ｇが表示された全試行、部分特定画像Ｌが表示された全試行、ＧＬ画像が表示された全試行、及びＬＧ画像が表示された全試行をそれぞれ対象として、各検出率及び各平均反応時間が算出され、算出された検出率及び平均反応時間を用いて注意切替能力が判定される。
【００３８】
なお、被験者に対しては、正解率と反応時間の双方を測定するためできるだけ正確に且つ迅速に操作ボタン４ａ，４ｂを押下すること、全体文字と部分文字の両方に注意を配分すること、所定の着座姿勢を維持することなどを伝え、本番の検査の前に充分な練習時間を与える。
【００３９】
［部分文字の文字間隔に起因する難易度の相違］
次に、部分文字の文字間隔に起因する難易度の相違について説明する。
【００４０】
同一の被験者が、部分文字の文字間隔が難易度Ａ（図３及び図４に示す標準タイプ）の場合、難易度Ｂ（難易度Ａよりも文字間隔が狭い図５（ａ）に示すタイプ）の場合、及び難易度Ｃ（難易度Ａよりも文字間隔が広い図５（ｂ）に示すタイプ）のそれぞれにおいて検査を行った結果を、図７〜図９に示す。なお、文字間隔以外の諸条件は、同一である。
【００４１】
図７〜図９から明らかなように、検出率については、難易度Ｃが難易度Ａ，Ｂよりも全体的に低下する傾向を示す。反応時間については、難易度Ｂ，Ｃが難易度Ａよりも全体的に遅くなる傾向を示す。
【００４２】
また、難易度Ｂでは、部分特定画像Ｌに対する平均反応時間ＬＲＴの方が全体特定画像Ｇに対する平均反応時間ＧＲＴよりも増大する（反応が遅延する）傾向を示し、ＧＬ画像に対する平均反応時間ＧＬＲＴの方がＬＧ画像に対する平均反応時間ＬＧＲＴよりも増大する（反応が遅延する）傾向を示す。難易度Ｃでは、全体特定画像Ｇに対する平均反応時間ＧＲＴの方が部分特定画像Ｌに対する平均反応時間ＬＲＴよりも増大する（反応が遅延する）傾向を示し、ＬＧ画像に対する平均反応時間ｌＧＲＴの方がＧＬ画像に対する平均反応時間ＧＬＲＴよりも増大する（反応が遅延する）傾向を示す。
【００４３】
［判定項目及び判定条件］
次に、注意切替能力の判定項目と判定条件について説明する。
【００４４】
図１０〜図１２に示すように、本実施形態の判定項目は、「全体的成績」、「タスクの遂行戦略」、「注意の配分傾向」及び「注意の切り替え能力」の４項目である。
【００４５】
「全体的成績」は、全試行における平均検出率（Ｍ％）と平均反応時間ＭＲＴとを指標とし、平均検出率（Ｍ％）が高いほど判断が全体的に正確であり、また平均反応時間ＭＲＴが短いほど反応が全体的に迅速であると判定する。
【００４６】
「タスクの遂行戦略」は、全試行における平均検出率（Ｍ％）と平均反応時間ＭＲＴとを指標とし、平均検出率（Ｍ％）が高く平均反応時間ＭＲＴが短い場合には、正確さと反応を両方重視していると判定し、平均検出率（Ｍ％）が高く平均反応時間ＭＲＴが長い場合には、正確さを追求するあまり、反応が遅めであると判定し、平均検出率（Ｍ％）が低く平均反応時間ＭＲＴが短い場合には、反応の早さを追求するあまり、反応が遅めであると判定し、平均検出率（Ｍ％）が低く平均反応時間ＭＲＴが長い場合には、正確さが欠け、反応も遅めであると判定する。
【００４７】
「注意の配分傾向」は、全体特定画像Ｇが表示された全試行における平均検出率（Ｇ％）−部分特定画像Ｌが表示された全試行における平均検出率（Ｌ％）と、全体特定画像Ｇが表示された全試行における平均反応時間（ＧＲＴ）−部分特定画像Ｌが表示された全試行における平均反応時間（ＬＲＴ）とを指標とし、Ｇ％−Ｌ％及びＧＲＴ−ＬＲＴの双方がともに小さいほど、部分と全体の処理のバランスが良好であると判定する。
【００４８】
「注意の切り替え能力」は、ＧＬ画像が表示された全試行における平均検出率（ＧＬ％）と、ＧＬ画像が表示された全試行における平均反応時間（ＧＬＲＴ）と、ＬＧ画像が表示された全試行における平均検出率（ＬＧ％）と、ＬＧ画像が表示された全試行における平均反応時間（ＬＧＲＴ）とを指標とする。ＧＬ％が高くＧＬＲＴが短い場合には、全体から部分への切り替えが正確かつ迅速に行われたと判定し、ＧＬ％が高くＧＬＲＴが長い場合には、全体から部分への切り替えが正確に行われたがスピードが遅めであると判定し、ＧＬ％が低くＧＬＲＴが短い場合には、全体から部分への切り替えが迅速に行われたが正確さが欠けていると判定し、ＧＬ％が低くＧＬＲＴが長い場合には、全体から部分への切り替えのスピードも正確さも欠けていると判定する。同様に、ＬＧ％が高くＬＧＲＴが短い場合には、部分から全体への切り替えが正確かつ迅速に行われたと判定し、ＬＧ％が高くＬＧＲＴが長い場合には、部分から全体への切り替えが正確に行われたがスピードが遅めであると判定し、ＬＧ％が低くＬＧＲＴが短い場合には、部分から全体への切り替えが迅速に行われたが正確さが欠けていると判定し、ＬＧ％が低くＬＧＲＴが長い場合には、部分から全体への切り替えのスピードも正確さも欠けていると判定する。
【００４９】
上記各指標を用いた具体的な判定条件は、部分文字の文字間隔に起因する難易度の相違を反映させて、各難易度Ａ〜Ｃ毎にそれぞれ設定される。図１０〜図１２は、難易度Ａ〜Ｃの判定条件及び出力される判定結果をそれぞれ示したものである。
【００５０】
難易度Ｂは、難易度Ａに比べて部分文字を判定し難いことから、全体情報から部分情報への被験者の切替能力に関して、難易度Ａよりも詳細な判定が可能である。このため、難易度Ｂでは、図１０及び図１１に示すように、判定項目「注意の切り替え能力」の指標のうち、ＧＬ画像が表示された全試行における平均検出率（ＧＬ％）と、ＧＬ画像が表示された全試行における平均反応時間（ＧＬＲＴ）とを指標とする判定条件及び出力が難易度Ａよりも細分化されている。
【００５１】
また、難易度Ｃは、難易度Ａに比べて全体文字を判定し難いことから、部分情報から全体情報への被験者の切替能力に関して、難易度Ａよりも詳細な判定が可能である。このため、難易度Ｃでは、図１０及び図１２に示すように、判定項目「注意の切り替え能力」の指標のうち、ＬＧ画像が表示された全試行における平均検出率（ＬＧ％）と、ＬＧ画像が表示された全試行における平均反応時間（ＬＧＲＴ）とを指標とする判定条件及び出力が難易度Ａよりも細分化されている。
【００５２】
上記判定条件及び出力の各データは、各難易度Ａ〜Ｃ毎に判定データ記憶テーブルに記憶される。なお、これら判定条件及び出力を変更可能に構成してもよい。
【００５３】
［注意切替判定処理］
次に、制御部９が実行する注意切替判定処理について、図１３〜図１６を参照して説明する。
【００５４】
注意切替判定処理は、ユーザが入力装置４又はマウスに対して所定の操作入力を行い、注意切替判定処理プログラムが起動することによって開始される。注意切替判定処理プログラムの起動後、制御部９は、表示画面６に初期画面を表示させる。
【００５５】
注意切替判定処理プログラムが起動した状態で、ユーザは、条件や文字スタイルの設定変更が可能となる（ステップＳ１）。設定変更を行うユーザは、図１４に示すように、表示された初期画面２６において、「ファイル」を選択し、「設定」、「スタート」及び「終了」の選択画像を表示させ、その中から「設定」を選択する（マウスポインタを「設定」に合わせてクリックする、又はCtrlキー４ｅとＣキー４ｃとを同時に押下する）。これに応じて、制御部９は、設定処理を開始し、図１５に示す各条件の設定画面２７を表示画面６に表示させる。設定画面２７は、設定項目として、「パターンファイル」、「被験者情報」、「レイアウト」及び「結果の表示」を含む。ユーザは、表示された設定画面２７において、使用する表示パターン（パターンファイル）、被験者の年齢、性別、氏名、部分文字のフォントサイズ（文字サイズ）及び文字間隔、部分文字のフォントの種類、及び判定結果を表示するか否かのそれぞれを適宜入力し、所望の入力が終了した後、各種設定等を確定させるための所定の操作入力を行う。この操作入力に伴って、制御部９は設定処理を終了する。設定処理の終了により、各種設定等が確定し、設定画面２７の表示が終了する。なお、本実施形態では、文字間隔として上記難易度Ａ〜Ｃに対応した３種類が設定可能である。
【００５６】
次に、ユーザが所定の操作入力を行う（入力装置４のＦ９キー４ｆを押下する、又は表示された初期画面２６においてマウスポインタを「スタート」に合わせてクリックする）と、制御部９はタスク処理を開始する（ステップＳ２）。
【００５７】
タスク処理を開始した制御部９は、表示画面６に検査画面２３を表示させ、検査画面２３内に検査の開始を示すカウントダウン表示を行った後、上記設定処理において設定された各種設定に従って最初の検査画像２０を表示するとともに、表示開始時間Time１をタイマ１２から取得し、記憶部１０に記憶する（ステップＳ３）。
【００５８】
被験者は、検査画面２３に表示された検査画像２０を視て、判定ボタン（Ｆキー４ｂ又はＪキー４ａ）を押下する。制御部９は、判定ボタン４ｂ，４ａの押下を検知すると（ステップＳ４：ＹＥＳ）、判定ボタン４ｂ，４ａ押下時の時間Time２をタイマ１２から取得し、記憶部１０に記憶する。そして、今回取得した時間Time２から表示開始時間Time１を減算することにより、反応時間ＲＴを算出し、検査画像２０の表示回数に対応付けて記憶部１０に記憶する。また、押下された判定ボタン４ｂ，４ａが検査画像２０に対応した適正なボタンであるか否かを判定し、その判定結果を検査画像２０の表示回数に対応付けて記憶部１０に記憶する（ステップＳ５）。なお、各時間Time１，Time２と反応時間ＴＲと判定結果とは、予め設定された判定データ記憶テーブルに順次記憶される。
【００５９】
次に、制御部９は、１秒間のブランクの後（ステップＳ６）、試行が最後まで達したか否か（６４回に達したか否か）を判定し（ステップＳ７）、最後まで達するまでステップＳ３〜Ｓ６の処理を繰り返して実行する。
【００６０】
試行が最後まで達すると（ステップＳ７：ＹＥＳ）、制御部９は、タスク処理を終了し（ステップＳ８）、結果ファイルの表示及び出力処理を実行した後（ステップＳ９）、注意切替判定処理を終了する。
【００６１】
結果ファイルの表示及び出力処理において、制御部９は、判定データ記憶テーブルに記憶された判定結果から、全試行における平均検出率（全正解率）、全体特定画像Ｇが表示された全試行における平均検出率（Ｇ検出率，Ｇ％）、部分特定画像Ｌが表示された全試行における平均検出率（Ｌ検出率，Ｌ％）、単独出現で特定画像が表示された全試行における平均検出率（単独検出率）、連続出現で特定画像が表示された全試行における平均検出率（連続検出率）、ＧＧ画像が表示された全試行における平均検出率（ＧＧ検出率）、ＧＬ画像が表示された全試行における平均検出率（ＧＬ検出率，ＧＬ％）、ＬＬ画像が表示された全試行における平均検出率（ＬＬ検出率）、及びＬＧ画像が表示された全試行における平均検出率（ＬＧ検出率，ＬＧ％）を、それぞれ検査結果として算出する。
【００６２】
また、判定データ記憶テーブルに記憶された反応時間ＲＴと判定結果とから、全試行における平均検出率（Ｍ％）と平均反応時間ＭＲＴ、Ｇ検出率−Ｌ検出率、全体特定画像Ｇが表示された全試行における平均反応時間（ＧＲＴ）−部分特定画像Ｌが表示された全試行における平均反応時間（ＬＲＴ）、ＧＬ検出率、ＧＬ画像が表示された全試行における平均反応時間（ＧＬＲＴ）、ＬＧ検出率、及びＬＧ画像が表示された全試行における平均反応時間（ＬＧＲＴ）を、判定の指標としてそれぞれ算出する。
【００６３】
上記指標を算出した制御部９は、今回の検査で使用した文字間隔に対応する難易度のパターンファイルの各判定条件を取得し、取得した判定条件に上記算出した指標を照合することにより、各判定項目において出力する判定結果を求める。
【００６４】
検査結果を算出し且つ判定結果を求めた制御部９は、これらを含む検査結果データを生成し、図１６に示すような検査結果の出力画面２８を表示画面６に表示させる。この出力画面２８には、検査結果データの保存先を入力して指定する保存先指定欄２９と、「回答結果」の表示欄３０と、各判定項目の判定結果の表示欄３１〜３４とを含む。
【００６５】
保存先指定欄２９に保存先が入力された状態でユーザが「ＯＫ」タブを選択すると、制御部９は、保存先指定欄２９に設定された保存先に検査結果データを記憶する。
【００６６】
なお、上記条件の設定（ステップＳ１）においてユーザが「結果の表示」に対して「表示しない」方を選択している場合、制御部９は、保存先指定欄２９を含み、且つ「回答結果」の表示欄３０及び各判定結果の表示欄３１〜３４を含まない画面を表示させ、ユーザからの「ＯＫ」タブの選択に応じて判定結果データを保存する。
【００６７】
「回答結果」の表示欄３０には、全試行回数（全回答数）と全試行における全検出数（全正解数）及び平均検出率（全正解率）の他、各場合における試行回数（出現数）と検出数と検出率とが、全体特定画像Ｇが表示された場合（Ｇ出現数、Ｇ検出数、Ｇ検出率）、部分特定画像Ｌが表示された場合（Ｌ出現数、Ｌ検出数、Ｌ検出率）、単独出現で特定画像が表示された場合（単独出現数、単独検出数、単独検出率）、連続出現で特定画像が表示された場合（連続出現数、連続検出数、連続検出率）、ＧＧ画像が表示された場合（ＧＧ出現数、ＧＧ検出数、ＧＧ検出率）、ＧＬ画像が表示された場合（ＧＬ出現数、ＧＬ検出数、ＧＬ検出率）、ＬＬ画像が表示された場合（ＬＬ出現数、ＬＬ検出数、ＬＬ検出率）、及びＬＧ画像が表示された場合（ＬＧ出現数、ＬＧ検出数、ＬＧ検出率）のそれぞれについて表示される。
【００６８】
表示欄３１には「全体的成績」の判定結果が、表示欄３２には「注意の配分傾向」の判定結果が、表示欄３３には「注意の切り替え能力」の判定結果が、表示欄３４には「タスクの遂行戦略」の判定結果がそれぞれ表示される。なお、「タスクの遂行戦略」の表示欄３４には、「戦略に関して」という表題が付される。
【００６９】
また、制御部９は、ユーザからの所定の入力操作に応じて、検査結果の出力画面２８に対応する印刷データを生成して印刷装置５へ出力し、検査結果をプリントアウトさせる。
【００７０】
本実施形態によれば、個々の検査画像２０に対する被験者の反応時間ＲＴと、個々の検査画像２０に対する被験者の入力が適正であるか否かの判定結果とに基づいて、被験者の注意切替能力が判定される。すなわち、反応時間ＲＴによって被験者の反応が速いか否か（反応の迅速性）が判定され、入力が適正であるか否かの判定結果によって被験者の判断が正確か否か（判断の正確性）が判定される。従って、被験者は、自己の注意切替能力について、反応の迅速性と判断の正確性との双方が反映された詳細な判定結果を得ることができる。
【００７１】
注意切替能力の判定結果が検査終了から短時間で出力されて被験者に提示されるので、被験者は、検査終了後直ちに自己の能力を認識することができる。
【００７２】
ユーザは、使用する表示パターンや、部分文字のフォントサイズ（文字サイズ）及び文字間隔や、部分文字のフォントの種類について、任意に設定を変更して検査を行うことができる。
【００７３】
例えば、標準タイプである難易度Ａの文字間隔を使用して基礎検査を行った被験者は、基礎検査において全体から部分への注意切替能力が低いという判定結果となった場合には、全体から部分への注意切替能力を詳細に判定可能な難易度Ｂの文字間隔を使用して再検査を行い、反対に部分から全体への注意切替能力が低いという判定結果となった場合には、部分から全体への注意切替能力を詳細に判定可能な難易度Ｃの文字間隔を使用して再検査を行うことによって、自己の注意切替をより詳細に把握することができる。
【００７４】
また、基礎検査において全体から部分への注意切替能力が低いという判定結果を得た被験者は、難易度Ｂの文字間隔を使用して検査を繰り返して実行することにより、全体から部分への注意切替能力の向上を図ることができる。同様に、基礎検査において部分から全体への注意切替能力が低いという判定結果を得た被験者は、難易度Ｃの文字間隔を使用して検査を繰り返して実行することにより、全体から部分への注意切替能力の向上を図ることができる。
【００７５】
なお、上述の実施形態は本発明の一例である。このため、本発明は上述の実施形態に限定されることはなく、本発明に係る技術的思想を逸脱しない範囲であれば、上述の実施形態以外であっても種々の変更が可能であることは勿論である。
【産業上の利用可能性】
【００７６】
本発明は、注意切替判定を行う装置やその実行プログラムや実行プログラムを記憶した記憶媒体に適用することができる。
【符号の説明】
【００７７】
１：注意切替能力判定システム
２：検査実行処理装置
３：表示装置（表示手段）
４：入力装置
４ａ：判定ボタン（Ｊキー、第１の操作部）
４ｂ：判定ボタン（Ｆキー、第２の操作部）
５：印刷装置
６：表示画面
８：入出力部（出力手段）
９：制御部（操作検知手段、表示制御手段、反応時間検出手段、入力判定手段、注意切替能力判定手段）
１０：記憶部
１２：タイマ
【図１】
2011152219.tif 000003
【図２】
2011152219.tif 000004
【図３】
2011152219.tif 000005
【図４】
2011152219.tif 000006
【図５】
2011152219.tif 000007
【図６】
2011152219.tif 000008
【図７】
2011152219.tif 000009
【図８】
2011152219.tif 000010
【図９】
2011152219.tif 000011
【図１０】
2011152219.tif 000012
【図１１】
2011152219.tif 000013
【図１２】
2011152219.tif 000014
【図１３】
2011152219.tif 000015
【図１４】
2011152219.tif 000016
【図１５】
2011152219.tif 000017
【図１６】
2011152219.tif 000018